(57)【要約】【課題】半導体光増幅型ゲートスイッチに供給する駆動電流の容量を維持しつつ、半導体光増幅型ゲートスイッチの高速駆動を実現させる。【解決手段】並列接続された非反転型高速オペアンプＯＰ１，ＯＰ２は、信号発生器ＳＧから出力された矩形波信号を増幅してＳＯＡ型ゲートスイッチ２２をＯＮ／ＯＦＦさせるための駆動信号を出力する。伝送線路Ｔ１，Ｔ２は、それぞれの伝送遅延時間が同等となるように、分岐点Ａから非反転型高速オペアンプＯＰ１，ＯＰ２の非反転入力端子までをそれぞれ接続する。伝送線路Ｔ３，Ｔ４は、それぞれの伝送遅延時間が同等となるように、非反転型高速オペアンプＯＰ１，ＯＰ２の出力端子から結合点Ｂまでを接続する。ショットキーバリアダイオードＤ１は、電圧の立ち下り時に発生するリンギングを抑圧する。【選択図】図７
2008203784.tif 000002
【特許請求の範囲】
【請求項１】
半導体光増幅型ゲートスイッチのアノード側に接続される半導体光増幅型ゲートスイッチ用駆動回路であって、
並列接続されたオペアンプと、
前記並列接続の信号源側にある当該並列接続の分岐点から前記各オペアンプの入力端子までを接続する信号源側伝送線路と、
前記各オペアンプの出力端子から前記並列接続の半導体光増幅型ゲートスイッチ側にある当該並列接続の結合点までを接続するゲートスイッチ側伝送線路と、
を備え、
前記各信号源側伝送線路における伝送遅延時間がそれぞれ同等であり、前記各ゲートスイッチ側伝送線路における伝送遅延時間がそれぞれ同等であることを特徴とする半導体光増幅型ゲートスイッチ用駆動回路。
【請求項２】
前記オペアンプが非反転型オペアンプであることを特徴とする請求項１に記載の半導体光増幅型ゲートスイッチ用駆動回路。
【請求項３】
前記オペアンプが反転型オペアンプであることを特徴とする請求項１に記載の半導体光増幅型ゲートスイッチ用駆動回路。
【請求項４】
カソード側がグラウンドに接続される半導体光増幅型ゲートスイッチと、当該半導体光増幅型ゲートスイッチのアノード側に接続される半導体光増幅型ゲートスイッチ用駆動回路とを有する半導体光増幅型ゲートスイッチ装置であって、
前記半導体光増幅型ゲートスイッチ用駆動回路は、
並列接続されたオペアンプと、
前記並列接続の信号源側にある当該並列接続の分岐点から前記各オペアンプの入力端子までを接続する信号源側伝送線路と、
前記各オペアンプの出力端子から前記並列接続の半導体光増幅型ゲートスイッチ側にある当該並列接続の結合点までを接続するゲートスイッチ側伝送線路と、を備え、
前記各信号源側伝送線路における伝送遅延時間がそれぞれ同等であり、前記各ゲートスイッチ側伝送線路における伝送遅延時間がそれぞれ同等であることを特徴とする半導体光増幅型ゲートスイッチ装置。
【請求項５】
ショットキーバリアダイオードをさらに備え、
前記半導体光増幅型ゲートスイッチのアノード側に前記ショットキーバリアダイオードのカソード側を接続し、前記半導体光増幅型ゲートスイッチのカソード側に前記ショットキーバリアダイオードのアノード側を接続することを特徴とする請求項４に記載の半導体光増幅型ゲートスイッチ装置。
【請求項６】
カソード側がグラウンドに接続される半導体光増幅型ゲートスイッチと、当該半導体光増幅型ゲートスイッチのアノード側に接続される半導体光増幅型ゲートスイッチ用駆動回路とを有する半導体光増幅型ゲートスイッチ装置を複数備える光交換機であって、
前記半導体光増幅型ゲートスイッチ用駆動回路は、
並列接続されたオペアンプと、
前記並列接続の信号源側にある当該並列接続の分岐点から前記各オペアンプの入力端子までを接続する信号源側伝送線路と、
前記各オペアンプの出力端子から前記並列接続の半導体光増幅型ゲートスイッチ側にある当該並列接続の結合点までを接続するゲートスイッチ側伝送線路と、を備え、
前記各信号源側伝送線路における伝送遅延時間がそれぞれ同等であり、前記各ゲートスイッチ側伝送線路における伝送遅延時間がそれぞれ同等であることを特徴とする光交換機。
【発明の詳細な説明】
【技術分野】
【０００１】
この発明は、光パケットネットワークにおける光パケット通信に有用な半導体光増幅型ゲートスイッチ用駆動回路、半導体光増幅型ゲートスイッチ装置および光交換機に関し、特に、半導体光増幅型ゲートスイッチに供給する駆動電流の容量を維持しつつ、半導体光増幅型ゲートスイッチの高速駆動を実現させることができる半導体光増幅型ゲートスイッチ用駆動回路、半導体光増幅型ゲートスイッチ装置および光交換機に関する。
【背景技術】
【０００２】
近年、マルチメディアネットワークの普及促進のために、高速かつ大容量の光通信装置の開発が要望されている。この高速かつ大容量化を実現する方式の一つとして、ｎｓオーダーの高速光スイッチを用いた光スイッチ装置の研究開発が進められている。このｎｓオーダーの高速光スイッチに該当するデバイスとして、半導体光増幅型ゲートスイッチ（以下、ＳＯＡ（Semiconductor Optical Amplifier）型ゲートスイッチと記載する。）がある。このＳＯＡ型ゲートスイッチは、駆動回路から供給される駆動電流に応じてＯＮ/ＯＦＦが制御される。そして、駆動電流を供給する駆動回路には、信号発生器から出力された信号を増幅するオペアンプが組み込まれている（下記特許文献１参照）。従来、駆動回路に組み込まれるオペアンプとして、例えば、帯域が１００ＭＨｚ、スルーレートが１０００Ｖ/μｓ、出力電流容量が３００ｍＡ、セットリングタイムが２０ｎｓの高速オペアンプが用いられていた。
【０００３】
また、下記特許文献２には、複数の増幅器を並列に接続して、大電力の負荷に電力を供給する並列出力合成回路に関する技術が開示されている。
【０００４】
【特許文献１】特開２００１−１５４１６０号公報
【特許文献２】実用新案登録第２５０８１７５号公報
【発明の開示】
【発明が解決しようとする課題】
【０００５】
光スイッチ装置では、光パケット信号のスイッチング伝送の効率化を向上させるために、ＳＯＡ型ゲートスイッチのさらなる高速駆動が要求されている。しかしながら、上述した従来の高速オペアンプでは、要求されている高速駆動を実現することができない。これに対して、さらに高速性の高い、例えば、帯域が１ＧＨｚ、スルーレートが５０００Ｖ/μｓ、出力電流容量が１５０ｍＡの高速オペアンプを適用することも考えられるが、このような高速オペアンプを用いると、光スイッチ装置において要求される３００ｍＡの出力電流（駆動電流）容量を満足することができない。
【０００６】
また、出力電流容量を増大させるために、特許文献２を参考にして、高速オペアンプを並列接続させることも考えられる。しかしながら、特許文献２に示されている並列出力合成回路では、単に負荷に供給する電流を増大させることが追求されているだけであって、負荷を高速駆動させることについては何も考慮されていない。
【０００７】
この発明は、上述した従来技術による問題点を解消するためになされたものであり、半導体光増幅型ゲートスイッチに供給する駆動電流の容量を維持しつつ、半導体光増幅型ゲートスイッチの高速駆動を実現させることができる半導体光増幅型ゲートスイッチ用駆動回路、半導体光増幅型ゲートスイッチ装置および光交換機を提供することを目的とする。
【課題を解決するための手段】
【０００８】
上述した課題を解決し、目的を達成するため、本発明は、半導体光増幅型ゲートスイッチのアノード側に接続される半導体光増幅型ゲートスイッチ用駆動回路であって、並列接続されたオペアンプと、並列接続の信号源側にある当該並列接続の分岐点から各オペアンプの入力端子までを接続する信号源側伝送線路と、各オペアンプの出力端子から並列接続の半導体光増幅型ゲートスイッチ側にある当該並列接続の結合点までを接続するゲートスイッチ側伝送線路と、を備え、各信号源側伝送線路における伝送遅延時間がそれぞれ同等であり、各ゲートスイッチ側伝送線路における伝送遅延時間がそれぞれ同等であることを特徴とする。
【０００９】
また、本発明は、上記発明において、上記オペアンプが非反転型オペアンプであることを特徴とする。
【００１０】
また、本発明は、上記発明において、上記オペアンプが反転型オペアンプであることを特徴とする。
【００１１】
また、本発明は、カソード側がグラウンドに接続される半導体光増幅型ゲートスイッチと、当該半導体光増幅型ゲートスイッチのアノード側に接続される半導体光増幅型ゲートスイッチ用駆動回路とを有する半導体光増幅型ゲートスイッチ装置であって、上記半導体光増幅型ゲートスイッチ用駆動回路は、並列接続されたオペアンプと、並列接続の信号源側にある当該並列接続の分岐点から各オペアンプの入力端子までを接続する信号源側伝送線路と、各オペアンプの出力端子から並列接続の半導体光増幅型ゲートスイッチ側にある当該並列接続の結合点までを接続するゲートスイッチ側伝送線路と、を備え、各信号源側伝送線路における伝送遅延時間がそれぞれ同等であり、各ゲートスイッチ側伝送線路における伝送遅延時間がそれぞれ同等であることを特徴とする。
【００１２】
また、本発明は、カソード側がグラウンドに接続される半導体光増幅型ゲートスイッチと、当該半導体光増幅型ゲートスイッチのアノード側に接続される半導体光増幅型ゲートスイッチ用駆動回路とを有する半導体光増幅型ゲートスイッチ装置を複数備える光交換機であって、上記半導体光増幅型ゲートスイッチ用駆動回路は、並列接続されたオペアンプと、並列接続の信号源側にある当該並列接続の分岐点から各オペアンプの入力端子までを接続する信号源側伝送線路と、各オペアンプの出力端子から並列接続の半導体光増幅型ゲートスイッチ側にある当該並列接続の結合点までを接続するゲートスイッチ側伝送線路と、を備え、各信号源側伝送線路における伝送遅延時間がそれぞれ同等であり、各ゲートスイッチ側伝送線路における伝送遅延時間がそれぞれ同等であることを特徴とする。
【００１３】
これらの発明によれば、並列接続されたオペアンプからの各出力電流および各スルーレートが加算されるため、駆動信号の出力電流容量と立ち上がり速度をオペアンプ数分倍増させることが可能となる。また、オペアンプを並列接続させることによって、ＯＮ時に半導体光増幅型ゲートスイッチに充電された電荷を、電圧の立ち下がり時に複数のオペアンプで高速に吸収させることができる。したがって、１個のオペアンプからなる回路に比べて電圧をより高速に低下させることができるため、立ち下がり時間を短縮させることが可能となる。さらに、並列接続されたオペアンプの信号源側とゲートスイッチ側とにおいて、分岐点または結合点までを接続する伝送線路の伝送遅延時間をそれぞれ同等にすることで、伝送遅延差による信号の位相ずれを回避することができるため、波形ひずみの発生を抑止することができる。
【００１４】
また、本発明に係る半導体光増幅型ゲートスイッチ装置は、上記の発明において、ショットキーバリアダイオードをさらに備え、半導体光増幅型ゲートスイッチのアノード側にショットキーバリアダイオードのカソード側を接続し、半導体光増幅型ゲートスイッチのカソード側にショットキーバリアダイオードのアノード側を接続することを特徴とする。
【００１５】
この発明によれば、半導体光増幅型ゲートスイッチがＯＮ状態であるときには、ショットキーバリアダイオードには駆動電流が流れず、半導体光増幅型ゲートスイッチにのみに駆動電流が流れ、一方、半導体光増幅型ゲートスイッチがＯＦＦ状態であるときには、半導体光増幅型ゲートスイッチの寄生容量に溜まった電荷がショットキーバリアダイオードに流れるように半導体光増幅型ゲートスイッチとショットキーバリアダイオードを接続したので、寄生容量に溜まった電荷の駆動回路側への流入を防止することができ、ひいてはリンギングを抑圧することができる。
【発明の効果】
【００１６】
本発明によれば、並列接続されたオペアンプからの各出力電流および各スルーレートが加算されるため、駆動信号の出力電流容量と立ち上がり速度をオペアンプ数分倍増させることが可能となる。また、オペアンプを並列接続させることによって、ＯＮ時に半導体光増幅型ゲートスイッチに充電された電荷を、電圧の立ち下がり時に複数のオペアンプで高速に吸収させることができるため、１個のオペアンプからなる回路に比べて電圧をより高速に低下させることができ、立ち下がり時間を短縮させることができる。さらに、並列接続されたオペアンプの信号源側とゲートスイッチ側とにおいて、分岐点または結合点までを接続する伝送線路の伝送遅延時間をそれぞれ同等にすることで、伝送遅延差による信号の位相ずれを回避することができるため、波形ひずみの発生を抑止することができる。
【００１７】
また、本発明によれば、半導体光増幅型ゲートスイッチがＯＮ状態であるときには、ショットキーバリアダイオードには駆動電流が流れず、半導体光増幅型ゲートスイッチにのみに駆動電流が流れ、一方、半導体光増幅型ゲートスイッチがＯＦＦ状態であるときには、半導体光増幅型ゲートスイッチの寄生容量に溜まった電荷がショットキーバリアダイオードに流れるように半導体光増幅型ゲートスイッチとショットキーバリアダイオードを接続したので、寄生容量に溜まった電荷の駆動回路側への流入を防止することができ、ひいてはリンギングを抑圧することができる。
【００１８】
すなわち、本発明によれば、半導体光増幅型ゲートスイッチに供給する駆動電流の容量を維持しつつ、半導体光増幅型ゲートスイッチの高速駆動を実現させることができるという効果を奏する。
【発明を実施するための最良の形態】
【００１９】
以下に添付図面を参照して、この発明に係る半導体光増幅型ゲートスイッチ用駆動回路、半導体光増幅型ゲートスイッチ装置および光交換機の好適な実施形態を詳細に説明する。
【実施例１】
【００２０】
まず、本実施例にかかるコアノード（光交換機）および光スイッチ装置の構成について説明する。図１は、光パケットネットワークを形成するコアノードの構成を示す図である。同図に示すように、コアノードである光交換機１０は、光スイッチ装置１と波長変換器５と制御部６とを有する。光スイッチ装置１は、光パケットネットワークで送受信される光パケット信号の経路を切替えるためのマトリクス光スイッチ機能を有する。波長変換器５は、光パケット信号の波長を変換する。制御部６は、波長変換された光パケット信号の出力先ポートを指示するための制御信号を光スイッチ装置１に送信する。制御部６は、光パケット信号に含まれる経路情報を解析して出力先ポートを決定する。なお、光スイッチ装置１は、経路情報が格納されている光パケット信号（ラベル信号）を受信してから所定のオフセット時間が経過した後に光スイッチの切り替えを行う。この切り替え時間は、光パケット信号に影響を与えないためのガード時間でもあり、例えば、４５ｎｓに設定される。
【００２１】
図２は、本実施例１における光スイッチ装置１の構成を示す図である。同図に示す光スイッチ装置１は、複数の半導体光増幅型ゲートスイッチ装置２（以下、ＳＯＡ（Semiconductor Optical Amplifier）型ゲートスイッチ装置と記載する。）と、複数の光カプラ３と、複数の合波カプラ４とを有する。光カプラ３は、光スイッチ装置１の入力ポートごとに設けられる。光カプラ３は、入力ポートから入力された光パケット信号を、光スイッチ装置１の出力ポート数分に分岐する。合波カプラ４は、光スイッチ装置１の出力ポートごとに設けられる。合波カプラ４は、複数のＳＯＡ型ゲートスイッチ装置２から出力される光パケット信号を結合する。ＳＯＡ型ゲートスイッチ装置２は、入力ポート数分のＳＯＡ型ゲートスイッチ装置２からなるＳＯＡ型ゲートスイッチ装置群を形成する。このＳＯＡ型ゲートスイッチ装置群が出力ポートごとに設けられる。
【００２２】
ここで、ＳＯＡ型ゲートスイッチ装置２の構成について、図３を参照して説明する。図３は、本実施例１におけるＳＯＡ型ゲートスイッチ装置２の構成を示す図である。ＳＯＡ型ゲートスイッチ装置２は、駆動回路２１（半導体光増幅型ゲートスイッチ用駆動回路）とＳＯＡ型ゲートスイッチ２２とを有する。駆動回路２１は、ＳＯＡ型ゲートスイッチ２２のアノード側に接続される。ＳＯＡ型ゲートスイッチ２２のカソード側は、グラウンドに接続される。
【００２３】
駆動回路２１は、制御部６から送信された制御信号に基づいて駆動信号を生成する。駆動回路２１は、生成した駆動信号をＳＯＡ型ゲートスイッチ２２に送信する。
【００２４】
ＳＯＡ型ゲートスイッチ２２は、光信号増幅領域２２ａに駆動電流が供給されたときに、光信号増幅領域２２ａを伝播する光パケット信号を増幅する。したがって、駆動電流を制御することにより、ＳＯＡ型ゲートスイッチ２２を光パケット信号のゲート素子として機能させることができる。ＳＯＡ型ゲートスイッチ２２は、光カプラ３を介して入力された光パケット信号を、駆動電流のＯＮ/ＯＦＦを示す駆動信号に応じて出力し、合波カプラ４に送信する。具体的には、例えば、駆動信号がＯＮ状態を示す場合には、ＳＯＡ型ゲートスイッチ２２はＯＮ状態となり、光パケット信号が出力される。一方、駆動信号がＯＦＦ状態を示す場合には、ＳＯＡ型ゲートスイッチ２２はＯＦＦ状態となり、光パケット信号の出力が止められる。なお、後述するように、ＳＯＡ型ゲートスイッチ２２は、ＯＦＦ状態であっても多少は漏れ光が発生してしまう。
【００２５】
図４は、ＳＯＡ型ゲートスイッチ２２における駆動電流と光増幅率との関係を説明するための図である。横軸は駆動電流ｍＡを示し、縦軸は光増幅率ｄＢを示す。同図に示すように、ＳＯＡ型ゲートスイッチ２２は、駆動電流により光増幅率が変化する特性を有する。駆動電流を増加させていくと光増幅率も増加する。駆動電流を３００ｍＡ程度に増加させると、光増幅率が１０ｄＢ程度得られるようになり、ほぼ飽和状態となる。したがって、駆動電流を３００ｍＡ以上にしても、得られる光増幅率は１０ｄＢ程度となる。一方、駆動電流を減少させていくと光の減衰特性を示すようになる。
【００２６】
図５は、ＳＯＡ型ゲートスイッチ２２における駆動電圧と光増幅率との関係を説明するための図である。横軸は駆動電圧Ｖを示し、縦軸は光増幅率ｄＢを示す。同図に示すように、ＳＯＡ型ゲートスイッチ２２は、駆動電圧でも光増幅率が変化する特性を有する。ＳＯＡ型ゲートスイッチ２２は、電流駆動型であるが、駆動電流を３００ｍＡ以上流せる電圧源から電圧印加することによって電圧駆動することも可能である。同図に示すように、駆動電圧を増加させていくと光増幅率も増加する。駆動電圧を１．５Ｖ程度に増加させると、光増幅率が１０ｄＢ程度得られるようになり、ほぼ飽和状態となる。そして、駆動電圧を１．５Ｖ以上にしても、得られる光増幅率は１０ｄＢ程度にとどまる。一方、駆動電圧を減少させていくと光の減衰特性を示すようになる。
【００２７】
図６は、ＳＯＡ型ゲートスイッチ２２におけるゲートスイッチ間消光比と駆動電圧との関係を説明するための図である。ゲートスイッチ間消光比は、ゲートスイッチがＯＦＦ状態のときの光パワーに対するゲートスイッチがＯＮ状態のときの光パワーの比で表される。同図の横軸はゲートスイッチ間消光比ｄＢを示し、縦軸は駆動電圧Ｖを示す。同図に示すように、駆動電圧が増加するほど、ゲートスイッチ間消光比が増大する。ゲートスイッチ間消光比が増大するということは、ＯＦＦ状態におけるゲートスイッチからの漏れ光の光パワーが増大していることを意味する。漏れ光の光パワーが増大してしまうと、光のクロストークが増大してしまう。したがって、光のクロストークによる影響を考慮して、所望の消光比特性が得られるように駆動電圧を設定する必要がある。具体的には、例えば、入力ポートと出力ポートとがそれぞれ８個備えられている８×８のマトリクス光スイッチを構成する場合には、消光比特性として５８ｄＢ程度が要求されている。この場合には、駆動電圧を０．６５Ｖ以下に設定する必要があることになる。
【００２８】
次に、図２を参照して、光パケット信号が光スイッチ装置１に入力されてから出力されるまでの動作について説明する。本動作では、光パケット信号が光スイッチ装置１の第１入力ポートから第２出力ポートに出力される場合について説明する。この場合、光パケット信号の経路情報には、出力先ポートが第２出力ポートであることを示す“＃２”が格納されていることになる。なお、光スイッチ装置１の入力ポート数および出力ポート数はそれぞれｎ個設けられていることとする。
【００２９】
最初に、経路情報が“＃２”である光パケット信号が、第１入力ポートから入力される。続いて、第１入力ポートに対応する光カプラ３ａは、光パケット信号をｎ個に分岐させ、ｎ個の出力ポートごとに設けられている第１入力ポート用のＳＯＡ型ゲートスイッチ装置２にそれぞれ送信する。
【００３０】
続いて、制御部６は、光パケット信号に含まれる経路情報に基づいて制御信号を生成する。本動作では、出力先ポートとして第２出力ポートを選択するように指示するための制御信号が生成される。制御部６は、生成した制御信号を各ＳＯＡ型ゲートスイッチ装置２に送信する。
【００３１】
続いて、第２出力ポート用のＳＯＡ型ゲートスイッチ装置２の駆動回路２１は、制御部６から送信された制御信号に基づいて、ＯＮ状態を示す信号をＳＯＡ型ゲートスイッチ２２に送信する。これにより、経路情報に“＃２”が格納された光パケット信号が、第２出力ポート用のＳＯＡ型ゲートスイッチ装置２から出力されることになる。一方、第２出力ポート用以外のＳＯＡ型ゲートスイッチ装置２の駆動回路２１は、制御部６から送信された制御信号に基づいて、ＯＦＦ状態を示す信号をＳＯＡ型ゲートスイッチ２２に送信する。これにより、経路情報に“＃２”が格納された光パケット信号は、第２出力ポート用以外のＳＯＡ型ゲートスイッチ装置２からは出力されないことになる。
【００３２】
続いて、第２出力ポート用のＳＯＡ型ゲートスイッチ装置２から出力された光パケット信号が、合成カプラ４ｂを介して第２出力ポートから出力される。つまり、経路情報が“＃２”である光パケット信号は、第２出力ポートのみから出力されることになる。
【００３３】
次に、図３に示すＳＯＡ型ゲートスイッチ装置２の回路構成について説明する。図７は、本実施例１におけるＳＯＡ型ゲートスイッチ装置２の回路構成を例示する図である。駆動回路２１は、並列接続された非反転型高速オペアンプＯＰ１，ＯＰ２を用いてＳＯＡ型ゲートスイッチ２２を駆動させる回路である。信号発生器ＳＧは、ＳＯＡ型ゲートスイッチ２２をＯＮ／ＯＦＦさせるための矩形波信号を生成して出力する。この矩形波信号は、ＯＮ時に０．６Ｖ、ＯＦＦ時に０Ｖを示す。この矩形波信号が、非反転型高速オペアンプＯＰ１，ＯＰ２の非反転入力端子に入力される。具体的には、ＯＮ時には０．６Ｖの２分の１にあたる０．３Ｖが非反転型高速オペアンプＯＰ１，ＯＰ２の非反転入力ピンにそれぞれ入力されることになる。
【００３４】
非反転型高速オペアンプＯＰ１，ＯＰ２は、入力された矩形波信号を増幅して駆動信号を出力する。この非反転型高速オペアンプＯＰ１，ＯＰ２は、帯域が１ＧＨｚ、スルーレートが５０００Ｖ/μｓ、出力電流容量が１５０ｍＡのオペアンプである。この非反転型高速オペアンプＯＰ１，ＯＰ２から出力された駆動信号が、ＳＯＡ型ゲートスイッチ２２に入力されることになる。具体的には、非反転型高速オペアンプＯＰ１，ＯＰ２によって、０．３Ｖの矩形波信号が１．５Ｖの駆動信号に増幅されて、ＳＯＡ型ゲートスイッチ２２に供給される。インダクタＬ１は、駆動回路２１の基板パターンにおける寄生インダクタンスである。インダクタＬ２は、ＳＯＡ型ゲートスイッチモジュール２ａ内の伝送路における寄生インダクタンスである。このＳＯＡ型ゲートスイッチモジュール２ａは、インダクタＬ２とＳＯＡ型ゲートスイッチ２２とショットキーバリアダイオードＤ１とで構成されている。図７に示すインダクタＬ１，Ｌ２は、それぞれ２ｎＨである。
【００３５】
伝送線路Ｔ１，Ｔ２は、それぞれの伝送遅延時間が同等となるように、並列接続の分岐点Ａから非反転型高速オペアンプＯＰ１，ＯＰ２の非反転入力端子までをそれぞれ接続する。すなわち、伝送線路Ｔ１，Ｔ２は、並列接続を形成する伝送線路のうち、信号源である信号発生器ＳＧ側の伝送線路（信号源側伝送線路）を形成する。伝送遅延時間を同等にする方法としては、例えば、同一種類の伝送線を用い、それぞれの伝送線路長が同等になるように接続する方法がある。
【００３６】
また、伝送線路Ｔ３，Ｔ４は、それぞれの伝送遅延時間が同等となるように、非反転型高速オペアンプＯＰ１，ＯＰ２の出力端子から並列接続の結合点Ｂまでを接続する。すなわち、伝送線路Ｔ３，Ｔ４は、並列接続を形成する伝送線路のうちのＳＯＡ型ゲートスイッチ２２側の伝送線路（ゲートスイッチ側伝送線路）を形成する。伝送遅延時間を同等にする方法としては、例えば、同一種類の伝送線を用い、それぞれの伝送線路長が同等になるように接続する方法がある。
【００３７】
図７に示す伝送線路Ｔ１〜Ｔ４は、伝送遅延時間が２０ｐｓに設定され、特性インピーダンスが５０Ωに設定されている。なお、図７に示す伝送線は、伝送線路長を３ｍｍに設定すると、伝送遅延時間が２０ｐｓ程度となる特性を有する。このように、並列接続された非反転型高速オペアンプＯＰ１，ＯＰ２の入力側と出力側とにおいて、伝送線路Ｔ１〜Ｔ４の伝送遅延時間をそれぞれ同等にすることで、伝送遅延差による信号の位相ずれを回避することができるため、波形ひずみの発生を抑止することができる。
【００３８】
ショットキーバリアダイオードＤ１は、駆動信号（駆動電圧）の立ち下り時に発生するリンギングを抑圧するために配置される。ＳＯＡ型ゲートスイッチ２２がＯＮ状態からＯＦＦ状態に移行すると、ＳＯＡ型ゲートスイッチ２２の寄生容量に溜まった電荷が放電され、その結果インダクタＬ１やインダクタＬ２による逆起電力が発生する。そのため、負側にリンギングが引き起こされることになる。そこで、ショットキーバリアダイオードＤ１を図７に示すように配置することで、リンギングを抑圧することができる。
【００３９】
具体的には、ショットキーバリアダイオードＤ１のカソードをＳＯＡ型ゲートスイッチ２２のアノード側に接続し、ショットキーバリアダイオードＤ１のアノードをＳＯＡ型ゲートスイッチ２２のカソード側に接続する。このように接続することによって、ＳＯＡ型ゲートスイッチ２２がＯＮ状態であるときには、ショットキーバリアダイオードＤ１には駆動電流が流れず、ＳＯＡ型ゲートスイッチ２２にのみに駆動電流が流れることになる。一方、ＳＯＡ型ゲートスイッチ２２がＯＦＦ状態であるときには、ＳＯＡ型ゲートスイッチ２２の寄生容量に溜まった電荷がショットキーバリアダイオードＤ１に流れることになる。これにより、インダクタＬ１やインダクタＬ２による逆起電力の発生を回避することができるため、アンダーシュートが抑圧されることになる。そして、このアンダーシュートが抑圧されることによって、その次に発生する正側のオーバーシュートを含むリンギングが抑圧されることになる。この結果リンギングによるＳＯＡ発光現象を抑圧することができる。
【００４０】
ショットキーバリアダイオードとしては、例えば、Ｓｉ（シリコン）型ショットキーバリアダイオードや、ＧａＡｓ（ガリ砒素）型ショットキーバリアダイオードを用いることができる。Ｓｉ型ショットキーバリアダイオードは、順方向電圧が一般のダイオードよりも小さいため、リンギングの抑圧効果が高くなる。ＧａＡｓ型ショットキーバリアダイオードは、Ｓｉ型ショットキーバリアダイオードよりも、接合容量を小さくできるため、より高速な応答が可能となる。このため、Ｓｉ型ショットキーバリアダイオードよりもリンギングの抑圧効果が高くなる。
【００４１】
なお、図７に示す抵抗器Ｒ１，Ｒ２，Ｒ４，Ｒ６は５０Ωの抵抗であり、抵抗器Ｒ３，Ｒ５は２００Ωの抵抗である。
【００４２】
次に、図７に示すＳＯＡ型ゲートスイッチ装置の動作について説明する。図８は、実施例１におけるＳＯＡ型ゲートスイッチ装置の動作を説明するための図であり、図７に示すＳＯＡ型ゲートスイッチ装置の動作時における各電圧および電流の波形を示す図である。ＶSGは信号発生器ＳＧの出力電圧波形である。この電圧波形ＶSGは、矩形波信号であり、ＯＮ時に０．６Ｖ、ＯＦＦ時に０Ｖとなる。ＶSOAは、駆動回路２１の出力電圧波形である。この電圧波形ＶSOAは、ＳＯＡ型ゲートスイッチ２２を駆動させる駆動信号であり、ＯＮ時に１．５Ｖ、ＯＦＦ時に０Ｖとなる。Ｉ１は非反転型高速オペアンプＯＰ１の出力電流波形であり、Ｉ２は非反転型高速オペアンプＯＰ２の出力電流波形である。図８に示すように、電流波形Ｉ１と電流波形Ｉ２は同じ波形で表される。ＩSOAは、ＳＯＡ型ゲートスイッチ２２に流れる電流であり、電流波形Ｉ１と電流波形Ｉ２とを合流した電流波形となる。
【００４３】
ここで、立ち上がり時間を、ＳＯＡ型ゲートスイッチ２２の駆動電圧が消光比特性を満たす０．６５Ｖに達してから、ＳＯＡ型ゲートスイッチ２２を流れる電流値が定常値である３００ｍＡの９０％となる２７０ｍＡに達するまでの所要時間と定義する。また、立ち下がり時間を、ＳＯＡ型ゲートスイッチ２２を流れる電流値が定常値である３００ｍＡの９０％となる２７０ｍＡに低下してから、ＳＯＡ型ゲートスイッチ２２の駆動電圧が消光比特性を満たす０．６５Ｖに低下するまでの所要時間と定義する。
【００４４】
図８に示すように、本実施例１では、立ち上がり時間ＳＴがおよそ３ｎｓとなり、立ち下がり時間ＥＴがおよそ１．５ｎｓとなる。したがって、立ち上がり時間と立ち下がり時間の合計はおよそ４．５ｎｓとなる。この値は、後述する従来の技術に比べておよそ１/３となっている。つまり、従来の技術に比べて３倍程度の高速動作が得られることになる。
【００４５】
従来の技術について説明する。図１１は、従来の技術におけるＳＯＡ型ゲートスイッチ装置の回路構成を例示する図である。駆動回路９１は、非反転型高速オペアンプＯＰ９１を用いてＳＯＡ型ゲートスイッチ９２を駆動させる回路である。信号発生器ＳＧは、ＳＯＡ型ゲートスイッチ９２をＯＮ／ＯＦＦさせるための矩形波信号を生成して出力する。この矩形波信号は、ＯＮ時に３．０９Ｖ、ＯＦＦ時に０Ｖを示す。この矩形波信号が、非反転型高速オペアンプＯＰ９１の非反転入力端子に入力される。非反転型高速オペアンプＯＰ９１は、入力された矩形波信号を増幅して駆動信号を出力する。非反転型高速オペアンプＯＰ９１は、帯域が１００ＭＨｚ、スルーレートが１０００Ｖ/μｓ、出力電流容量が３００ｍＡ、セットリングタイムが２０ｎｓのオペアンプである。この非反転型高速オペアンプＯＰ９１から出力された駆動信号が、ＳＯＡ型ゲートスイッチ９２に入力される。
【００４６】
インダクタＬ９１は、立ち上がり時のオーバーシュートを抑圧するためのインダクタンスである。インダクタＬ９２は、駆動回路９１の基板パターンにおける寄生インダクタンスである。インダクタＬ９３は、ＳＯＡ型ゲートスイッチモジュール９２ａ内の伝送路における寄生インダクタンスである。抵抗器Ｒ９５は、立下り時のリンギングを抑圧するための抵抗である。図１１に示すインダクタＬ９１は３８ｎＨであり、インダクタＬ９２，Ｌ９３は２ｎＨである。また、抵抗器Ｒ９１，Ｒ９２，Ｒ９４は５０Ωであり、抵抗器Ｒ９３は２００Ωであり、抵抗器Ｒ９５は２０Ωである。
【００４７】
図１２は、従来技術におけるＳＯＡ型ゲートスイッチ装置の動作を説明するための図であり、図１１に示す従来のＳＯＡ型ゲートスイッチ装置の動作時における各電圧および電流の波形を示す図である。ＶSGは信号発生器ＳＧの出力電圧波形である。この電圧波形ＶSGは、矩形波信号でありＯＮ時に３．０９Ｖ、ＯＦＦ時に０Ｖとなる。ＶSOAは、駆動回路９１の出力電圧波形である。この電圧波形ＶSOAは、ＳＯＡ型ゲートスイッチ９２を駆動させる駆動信号であり、ＯＮ時に１．５Ｖ、ＯＦＦ時に０Ｖとなる。ＩSOAは、非反転型高速オペアンプＯＰ９１の出力電流波形である。
【００４８】
図１２に示すように、従来のＳＯＡ型ゲートスイッチ装置では、立ち上がり時間ＳＴがおよそ５ｎｓとなり、立ち下がり時間ＥＴがおよそ９ｎｓとなる。したがって、立ち上がり時間と立ち下がり時間の合計がおよそ１４ｎｓとなる。この値は、実施例１のＳＯＡ型ゲートスイッチ装置の値に比べておよそ３倍となっている。つまり、従来の方が実施例１よりも３倍の時間を要することになる。
【００４９】
ここで、図１１に示す従来のＳＯＡ型ゲートスイッチ装置では、非反転型高速オペアンプＯＰ９１の出力端子とＳＯＡ型ゲートスイッチ９２との間に２０Ωの抵抗器Ｒ９５を挿入することでリンギングを抑えている。ところが、この抵抗器Ｒ９５を挿入することによって非反転型高速オペアンプＯＰ９１の出力電圧として７．７Ｖという大きな電圧が必要となる。これにより、駆動回路９１の消費電力が増大している。２０Ωの抵抗器Ｒ９５の消費電力は、３００ｍＡでは１．８Ｗになる。また、消費電力が大きな抵抗器Ｒ９５は、形状も大きくなるため、回路規模が大きくなってしまう。また、オペアンプの出力電圧が高いため、より高速なオペアンプを利用することができずに、２０ｎｓ程度のセットリング特性を有するオペアンプを利用することになる。これにより、高速性が阻害されてしまう。
【００５０】
これに対して、本実施例１のＳＯＡ型ゲートスイッチ装置では、立ち上がり時間がおよそ３ｎｓであり、立ち下がり時間がおよそ１．５ｎｓである。つまり、立ち上がり時間と立ち下がり時間の合計がおよそ４．５ｎｓであり、従来のＳＯＡ型ゲートスイッチ装置に比べて３倍程度の高速動作を示している。これは、本実施例１の非反転型高速オペアンプＯＰ１，ＯＰ２が並列接続されていることに起因する。具体的に説明すると、立ち上がり時間については、並列接続されている非反転型高速オペアンプＯＰ１，ＯＰ２の出力電流のスルーレートが加算されるため、およそ２倍のスルーレートが得られることになる。したがって、立ち上がり時間が従来の回路に比べておよそ１/２に減少することになる。つまり、立ち上がり速度は従来の回路に比べておよそ２倍速くなる。一方、立ち下がり時間については、ＳＯＡ型ゲートスイッチ２２自身の寄生容量によりＯＮ時に充電された電荷が、並列接続されている２個の非反転型高速オペアンプＯＰ１，ＯＰ２によって高速に吸収されることになる。したがって、１個の非反転型高速オペアンプＯＰ９１からなる従来の回路に比べて電圧をより高速に低下させることができるため、立ち下がり時間も短縮される。
【００５１】
また、本実施例１のＳＯＡ型ゲートスイッチ装置では、従来のＳＯＡ型ゲートスイッチ装置における２０Ωの抵抗器Ｒ９５が不要となるため、消費電力を削減することができる。さらに、本実施例１のＳＯＡ型ゲートスイッチ装置では、従来のＳＯＡ型ゲートスイッチ装置と同様に３００ｍＡという大電流によって素子の発熱が比較的大きくなってしまうが、２個の非反転型高速オペアンプＯＰ１，ＯＰ２に発熱量が分散されるため、ドライバアンプの発熱分散効率を向上させることができる。
【００５２】
なお、上述した実施例１では、矩形波信号が信号発生器ＳＧによって生成されているが、矩形波信号を生成する手段はこれに限定されない。例えば、制御部６から出力される信号に応じてＦＰＧＡ回路またはロジックバッファ回路で矩形波信号を生成することとしてもよい。
【実施例２】
【００５３】
次に、本発明の実施例２について説明する。実施例２が実施例１と異なる点は、実施例２では、実施例１の駆動回路で用いられている非反転型高速オペアンプの代わりに反転型高速オペアンプを用いている点である。それ以外の構成は、実施例１における各構成と同様であるため、各構成要素には同一の符合を付しその説明は省略すると共に、以下においては、主に実施例１との相違点について説明する。
【００５４】
図９は、本実施例２におけるＳＯＡ型ゲートスイッチ装置２の回路構成を例示する図である。駆動回路２１は、並列接続された反転型高速オペアンプＯＰ１１，ＯＰ１２を用いてＳＯＡ型ゲートスイッチ２２を駆動させる回路である。信号発生器ＳＧは、ＳＯＡ型ゲートスイッチ２２をＯＮ／ＯＦＦさせるための矩形波信号を生成して出力する。この矩形波信号は、ＯＮ時に−０．６Ｖ、ＯＦＦ時に０Ｖを示す。この矩形波信号が、ボルテージフォロア回路ＯＰ１３を介して反転型高速オペアンプＯＰ１１，ＯＰ１２の反転入力端子に入力される。具体的に説明すると、ＯＮ時には−０．６Ｖの２分の１にあたる−０．３Ｖが反転型高速オペアンプＯＰ１１，ＯＰ１２の反転入力ピンにそれぞれ入力されることになる。
【００５５】
反転型高速オペアンプＯＰ１１，ＯＰ１２は、入力された矩形波信号を増幅して駆動信号を出力する。反転型高速オペアンプＯＰ１１，ＯＰ１２は、帯域が１ＧＨｚ、スルーレートが５０００Ｖ/μｓ、出力電流容量が１５０ｍＡのオペアンプである。この反転型高速オペアンプＯＰ１１，ＯＰ１２から出力された駆動信号が、ＳＯＡ型ゲートスイッチ２２に入力されることになる。具体的に説明すると、反転型高速オペアンプＯＰ１１，ＯＰ１２によって、−０．３Ｖの矩形波信号が１．５Ｖの駆動信号に増幅されて、ＳＯＡ型ゲートスイッチ２２に供給される。インダクタＬ１は、駆動回路２１の基板パターンにおける寄生インダクタンスである。インダクタＬ２は、ＳＯＡ型ゲートスイッチモジュール２ａ内の伝送路における寄生インダクタンスである。図９に示すインダクタＬ１，Ｌ２は、それぞれ２ｎＨである。
【００５６】
伝送線路Ｔ１，Ｔ２（信号源側伝送線路）は、それぞれの伝送遅延時間が同等となるように、並列接続の分岐点Ａから反転型高速オペアンプＯＰ１１，ＯＰ１２の反転入力端子までをそれぞれ接続する。伝送遅延時間を同等にする方法としては、例えば、同一種類の伝送線を用い、それぞれの伝送線路長が同等になるように接続する方法がある。伝送線路Ｔ３，Ｔ４（ゲートスイッチ側伝送線路）は、それぞれの伝送遅延時間が同等となるように、反転型高速オペアンプＯＰ１１，ＯＰ１２の出力端子から並列接続の結合点Ｂまでを接続する。伝送遅延時間を同等にする方法としては、例えば、同一種類の伝送線を用い、それぞれの伝送線路長が同等になるように接続する方法がある。
【００５７】
図９に示す伝送線路Ｔ１〜Ｔ４は、伝送遅延時間が２０ｐｓに設定され、特性インピーダンスが５０Ωに設定されている。なお、図９に示す伝送線は、伝送遅延時間を２０ｐｓに設定すると、伝送線路長が３ｍｍ程度となる特性を有する。このように、並列接続された反転型高速オペアンプＯＰ１１，ＯＰ１２の入力側と出力側とにおいて、伝送線路Ｔ１〜Ｔ４の伝送遅延時間をそれぞれ同等にすることで、伝送遅延差による信号の位相ずれを回避することができるため、波形ひずみの発生を抑止することができる。
【００５８】
なお、ショットキーバリアダイオードＤ１については、上述した実施例１と同様であるため、その説明を省略する。また、図９に示す抵抗器Ｒ１，Ｒ２は５０Ωの抵抗であり、抵抗器Ｒ１１，Ｒ１４は１００Ωの抵抗であり、抵抗器Ｒ１２，Ｒ１５は５００Ωの抵抗であり、抵抗器Ｒ１３，Ｒ１６は１２０Ωの抵抗である。
【００５９】
図１０は、実施例２におけるＳＯＡ型ゲートスイッチ装置の動作を説明するための図であり、図９に示すＳＯＡ型ゲートスイッチ装置の動作時における各電圧および電流の波形を示す図である。ＶSGは信号発生器ＳＧの出力電圧波形である。この電圧波形ＶSGは、矩形波信号でありＯＮ時に−０．６Ｖ、ＯＦＦ時に０Ｖとなる。ＶSOAは、駆動回路２１の出力電圧波形である。この電圧波形ＶSOAは、ＳＯＡ型ゲートスイッチ２２を駆動させる駆動信号であり、ＯＮ時に１．５Ｖ、ＯＦＦ時に０Ｖとなる。Ｉ１は反転型高速オペアンプＯＰ１１の出力電流波形であり、Ｉ２は非反転型高速オペアンプＯＰ１２の出力電流波形である。図１０に示すように、電流波形Ｉ１と電流波形Ｉ２は同じ波形で表される。ＩSOAは、電流波形Ｉ１と電流波形Ｉ２とを合流した電流波形となる。
【００６０】
図１０に示すように、本実施例２では、立ち上がり時間ＳＴがおよそ３．３ｎｓとなり、立ち下がり時間ＥＴがおよそ２．３ｎｓとなる。したがって、立ち上がり時間と立ち下がり時間の合計はおよそ５．６ｎｓとなる。この値は、前述した従来の技術に比べておよそ２/５となっている。つまり、従来の技術に比べて２．５倍程度の高速動作が得られることになる。
【００６１】
なお、上述した各実施例では、２個のオペアンプで並列接続しているが、並列接続するオペアンプは２個であることには限定されず、３個以上の複数のオペアンプを並列接続することもできる。
【００６２】
（付記１）半導体光増幅型ゲートスイッチのアノード側に接続される半導体光増幅型ゲートスイッチ用駆動回路であって、
並列接続されたオペアンプと、
前記並列接続の信号源側にある当該並列接続の分岐点から前記各オペアンプの入力端子までを接続する信号源側伝送線路と、
前記各オペアンプの出力端子から前記並列接続の半導体光増幅型ゲートスイッチ側にある当該並列接続の結合点までを接続するゲートスイッチ側伝送線路と、
を備え、
前記各信号源側伝送線路における伝送遅延時間がそれぞれ同等であり、前記各ゲートスイッチ側伝送線路における伝送遅延時間がそれぞれ同等であることを特徴とする半導体光増幅型ゲートスイッチ用駆動回路。
【００６３】
（付記２）前記オペアンプが非反転型オペアンプであることを特徴とする付記１に記載の半導体光増幅型ゲートスイッチ用駆動回路。
【００６４】
（付記３）前記オペアンプが反転型オペアンプであることを特徴とする付記１に記載の半導体光増幅型ゲートスイッチ用駆動回路。
【００６５】
（付記４）カソード側がグラウンドに接続される半導体光増幅型ゲートスイッチと、当該半導体光増幅型ゲートスイッチのアノード側に接続される半導体光増幅型ゲートスイッチ用駆動回路とを有する半導体光増幅型ゲートスイッチ装置であって、
前記半導体光増幅型ゲートスイッチ用駆動回路は、
並列接続されたオペアンプと、
前記並列接続の信号源側にある当該並列接続の分岐点から前記各オペアンプの入力端子までを接続する信号源側伝送線路と、
前記各オペアンプの出力端子から前記並列接続の半導体光増幅型ゲートスイッチ側にある当該並列接続の結合点までを接続するゲートスイッチ側伝送線路と、を備え、
前記各信号源側伝送線路における伝送遅延時間がそれぞれ同等であり、前記各ゲートスイッチ側伝送線路における伝送遅延時間がそれぞれ同等であることを特徴とする半導体光増幅型ゲートスイッチ装置。
【００６６】
（付記５）前記オペアンプが非反転型オペアンプであることを特徴とする付記４に記載の半導体光増幅型ゲートスイッチ装置。
【００６７】
（付記６）前記オペアンプが反転型オペアンプであることを特徴とする付記４に記載の半導体光増幅型ゲートスイッチ装置。
【００６８】
（付記７）ショットキーバリアダイオードをさらに備え、
前記半導体光増幅型ゲートスイッチのアノード側に前記ショットキーバリアダイオードのカソード側を接続し、前記半導体光増幅型ゲートスイッチのカソード側に前記ショットキーバリアダイオードのアノード側を接続することを特徴とする付記４〜６のいずれか１項に記載の半導体光増幅型ゲートスイッチ装置。
【００６９】
（付記８）カソード側がグラウンドに接続される半導体光増幅型ゲートスイッチと、当該半導体光増幅型ゲートスイッチのアノード側に接続される半導体光増幅型ゲートスイッチ用駆動回路とを有する半導体光増幅型ゲートスイッチ装置を複数備える光交換機であって、
前記半導体光増幅型ゲートスイッチ用駆動回路は、
並列接続されたオペアンプと、
前記並列接続の信号源側にある当該並列接続の分岐点から前記各オペアンプの入力端子までを接続する信号源側伝送線路と、
前記各オペアンプの出力端子から前記並列接続の半導体光増幅型ゲートスイッチ側にある当該並列接続の結合点までを接続するゲートスイッチ側伝送線路と、を備え、
前記各信号源側伝送線路における伝送遅延時間がそれぞれ同等であり、前記各ゲートスイッチ側伝送線路における伝送遅延時間がそれぞれ同等であることを特徴とする光交換機。
【００７０】
（付記９）ショットキーバリアダイオードをさらに備え、
前記半導体光増幅型ゲートスイッチのアノード側に前記ショットキーバリアダイオードのカソード側を接続し、前記半導体光増幅型ゲートスイッチのカソード側に前記ショットキーバリアダイオードのアノード側を接続することを特徴とする付記８に記載の光交換機。
【産業上の利用可能性】
【００７１】
以上のように、本発明にかかる半導体光増幅型ゲートスイッチ用駆動回路、半導体光増幅型ゲートスイッチ装置および光交換機は、光パケットネットワークにおける光パケット通信に有用であり、特に、半導体光増幅型ゲートスイッチに供給する駆動電流の容量を維持しつつ、半導体光増幅型ゲートスイッチの高速駆動を実現させることに適している。
【図面の簡単な説明】
【００７２】
【図１】光パケットネットワークを形成するコアノードの構成図である。
【図２】光スイッチ装置の構成図である。
【図３】ＳＯＡ型ゲートスイッチ装置の構成図である。
【図４】駆動電流と光増幅率との関係を説明するための図である。
【図５】駆動電圧と光増幅率との関係を説明するための図である。
【図６】ゲートスイッチ間消光比と駆動電圧との関係を説明するための図である。
【図７】実施例１におけるＳＯＡ型ゲートスイッチ装置の回路構成図である。
【図８】実施例１におけるＳＯＡ型ゲートスイッチ装置の動作を説明するための図である。
【図９】実施例２におけるＳＯＡ型ゲートスイッチ装置の回路構成図である。
【図１０】実施例２におけるＳＯＡ型ゲートスイッチ装置の動作を説明するための図である。
【図１１】従来技術におけるＳＯＡ型ゲートスイッチ装置の回路構成図である。
【図１２】従来技術におけるＳＯＡ型ゲートスイッチ装置の動作を説明するための図である。
【符号の説明】
【００７３】
１    光スイッチ装置
２    ＳＯＡ型ゲートスイッチ装置
３    光カプラ
４    合波カプラ
５    波長変換器
６    制御部
１０    光交換機
２１    駆動回路
２２    ＳＯＡ型ゲートスイッチ
Ｄ１    ショットキーバリアダイオード
Ｔ１，Ｔ２，Ｔ３，Ｔ４    伝送線路
ＯＰ１，ＯＰ２    非反転型高速オペアンプ
【図１】
2008203784.tif 000003
【図２】
2008203784.tif 000004
【図３】
2008203784.tif 000005
【図４】
2008203784.tif 000006
【図５】
2008203784.tif 000007
【図６】
2008203784.tif 000008
【図７】
2008203784.tif 000009
【図８】
2008203784.tif 000010
【図９】
2008203784.tif 000011
【図１０】
2008203784.tif 000012
【図１１】
2008203784.tif 000013
【図１２】
2008203784.tif 000014